【事件の表示】
　特願２０１６−１１７９４２号「簡易風呂」拒絶査定不服審判事件〔平成２９年１１月２４日出願公開、特開２０１７−２０５４７４号〕について、次のとおり審決する。
【結　論】
　本件審判の請求は、成り立たない。
【理　由】
第１　手続の経緯
　本願は、平成２８年６月１４日（優先権主張　平成２７年７月７日　平成２８年５月１１日）の出願であって、平成２９年６月１日付けで拒絶理由が通知され、同年７月７日に意見書及び手続補正書が提出され、同年８月１５日付けで拒絶査定がされ、これに対して、同年９月１１日に拒絶査定不服審判の請求がされると同時に手続補正書及び意見書が提出され、当審において平成３０年７月２日付けで平成２９年９月１１日の手続補正についての補正の却下の決定がされるとともに拒絶理由（以下、「当審拒絶理由」という。）が通知され、同年７月２３日に意見書及び手続補正書が提出されたものである。
第２　本願発明
　本願の請求項１〜５に係る発明は、平成３０年７月２３日の手続補正により補正された特許請求の範囲の請求項１〜５に記載された事項により特定されるとおりのものと認められるところ、その請求項１に係る発明（以下、「本願発明」という。）は、以下のとおりのものである。
「　　【請求項１】
カバー又は袋の形状構成の簡易風呂において、該カバー又は袋は、手足、身体を洗う、又は入浴する際に安定、安全、洗いやすい、或いは入りやすい機能、形状、構造、作用を構成する為、該カバー又は袋を固定する又は固定化する該機能、形状、構造或いは作用を所有する事が出来る簡易風呂。」 
第３　当審拒絶理由
　当審拒絶理由は、以下の理由を含むものである。
［理由１］
　この出願の請求項１に係る発明は、その優先日前に日本国内又は外国において頒布された以下の刊行物１に記載された発明又は電気通信回線を通じて公衆に利用可能となった発明であるから、特許法第２９条第１項第３号に該当し、特許を受けることができない。
［理由２］
　この出願の請求項１に係る発明は、その優先日前日本国内又は外国において頒布された以下の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　刊行物
１．特開平１０−１２７５１１号公報
２．特開平１１−１９１５３号公報
３．特開２０１１−１１５４８２号公報
４．特開２００９−２９１４０８号公報
　以下、それぞれ、「引用文献１」ないし「引用文献４」という（なお、「引用文献３」及び「引用文献４」は、上記理由２において、周知例として示したものである。）。
第４　引用文献等  
１　引用文献１について
（１）引用文献１に記載された事項
　上記引用文献１には、図面とともに、次の事項が記載されている（なお、下線は当審が加筆した。以下、同様である。）。
（１ａ） 
「【請求項１】  
背もたれ部と座部と脚部を備えた椅子部と、柔軟で且つ水密な材料からなり折り畳み自在の浴槽部とが着脱自在に構成され、該椅子部に浴槽部の上部を支持するためのアームが回動可能に取り付けられ、前記浴槽部は上部が開口させられ且つ前記椅子部の座部と床面とに載置し得る段付き形状の袋状体と、該袋状体の上部開口部の周縁に前記アームを取り付けて支持する支持部と、該袋状体を上部開口部から床面側まで開閉し得る水密なファスナーとを備える
畳み式簡易浴槽。
（１ｂ）
「【００１３】図１は本発明の折り畳み式簡易浴槽の一例を示すものであり、袋状体の浴槽部１０と折り畳み式の椅子部１２とから構成されている。
浴槽部１０の上部開口部の周縁に設けられた１対の筒状部１４には、椅子部１２の背もたれ部１６に取り付けられた１対のアーム１８がそれぞれ挿入され、浴槽部１０を椅子部１２に固定するとともに自立させるように構成されている。
（１ｃ）
「【００１９】図４は、本例に用いることのできる浴槽部１０の一例を示すものである。同図（ａ）のように袋状に閉じられて浴槽として使用されるが、利用者が出入りする時は、同図（ｂ）のように前部が開けられる。すなわち、浴槽部１０を構成する袋状体には水密ファスナー３６が上部開口部から床面側にまで設けられていて、前部の開閉は水密ファスナー３６によって行われ、
水密ファスナー３６を閉じた状態でお湯を満たし
（１ｄ）
「【００２１】また、浴槽部１０の形状は図４に示されるように、床面の上に載置されるとともに、椅子部１２の座部２２に載置されるように２段を成して形成されていて、浴槽部１０が椅子部１２に安定して載置されるように構成されている。ただし、この浴槽部１０の形状は特に限定されない。椅子部１２の形状に合わせてもっと角形にしてもよいし、お湯の飛散を防ぐために背部を高くしてもよい。考慮しなければならないのは、浴槽部１０の内容積である。通常、大人の入浴には１５０リットル以上のお湯が必要とされていて、本発明の浴槽部はこの条件を十分に満たすことができる。」
（１ｅ）
「【００２２】図５は、図１に対する比較として、浴槽部１０の前部を開いた状態を示している。上述したように、利用者の出入りは図のように前部を開いて行われる。
浴槽部１０の前面に設けられた水密ファスナー３６を開き、アーム１８の取り付け部を緩めて、アーム１８を下方に回動させ、同時にその先端が開くように回転させることによって、浴槽部１０の前部を足元までが広く拡げることができる。その結果、車椅子等からの移動を楽に行うことができるようになる。
（１ｆ）
「【００２８】すなわち、通常時には折り畳み式浴槽の一部に格納されていて、入浴時にだけ引き出され、実質的な床面積を増やすような部材を備えるのである。図７にその一例を示した。図の転倒防止部材４０は、通常は足乗せ板２６の中に格納されているが、入浴時には横方向に引き出されて、床面積を増やしたのと同等の転倒防止機能を果たすことができる。転倒防止部材４０の実施の形態は本例に限定されるものではない。たとえば、突っかい棒として機能する部材を椅子部１２の各部フレームと一体化しておき、入浴時にだけ引き出して使用することも可能である。」
（１ｇ）
「【００２９】ここで、上述の折り畳み式簡易浴槽を用いて入浴する場合の手順をまとめれば次のようになる。先ず、格納されていた折り畳み式簡易浴槽を浴室または床防水された部屋に組み立て、入浴者を車椅子その他の方法によって浴槽近くまで移動させる。転倒防止部材４０を備えている場合には、引き出して正しくセットする。次に、浴槽部１０の水密ファスナー３６を開き、アーム１８を回動させることにより、浴槽部１０の前面を大きく開放する。入浴者を浴槽部１０に入れ、アーム１８を所定の位置に戻し、水密ファスナー３６を閉じてから、シャワー等からお湯を入れる。なお、給湯設備がある場合は、給湯口から適温に調節されたお湯を入れるのが好ましい。お湯を入れて、入浴者の身体を温めた後、洗剤などで身体を洗って、清浄にする。このとき、入浴者が自ら洗うことができる場合は、
浴槽部１０内で身体を動かしつつ洗浄し、介添え人が手伝う場合は、浴槽部１０の上部開口部から手を差し入れて、洗うことになる。
（１ｈ）
「【００３８】すなわち、図９に示されるように、座部のシート４２にＶ字型あるいはＵ字型の切り込みを入れ、ファスナー３６で接ぐのである。身障者が浴室等で使用する時には、図１０に示されるように、股間部を洗いやすいようにファスナー３６を開いて用いる。そして、ファスナー３６を閉じれば、健常者にとっても、何の違和感も無く使用することのできる椅子となる。」
（１ｉ）
「【００４５】
浴槽部１０に設けた筒状部１４にアーム１８を挿入することにより、浴槽部１０を椅子部１２に固定し、上述した入浴手順によって身障者の入浴を試みたところ、簡便かつ安全に実行できるのを確認することができた。
（１ｊ）
　図１、２、５、７は、以下のとおりである。
（２）引用文献１に記載された発明
　摘記（１ａ）〜（１ｃ）から、引用文献１には、次の発明（以下、「引用発明」という。）が記載されているものと認められる。
　なお、符号は、摘記（１ｂ）及び（１ｃ）を参照して、当審が付した。
　［引用発明］ 
「背もたれ部と座部と脚部を備えた椅子部１２と、柔軟で且つ水密な材料からなり折り畳み自在の浴槽部１０とが着脱自在に構成され、該椅子部１２に浴槽部１０の上部を支持するためのアーム１８が回動可能に取り付けられ、前記浴槽部１０は上部が開口させられ且つ前記椅子部１２の座部と床面とに載置し得る段付き形状の袋状体と、該袋状体の上部開口部の周縁に前記アーム１８を取り付けて支持する支持部と、該袋状体を上部開口部から床面側まで開閉し得る水密なファスナー３６とを備える折り畳み式簡易浴槽。」
２　引用文献２について
　上記引用文献２には、図面とともに、次の事項が記載されている。
（２ａ）
「【００７３】さらに、
袋状の浴槽１１・３１の安定性を高めるため、浴槽１１の接合させた部位や、浴槽３１の側壁３４・３５・３６に芯又はリブなどを埋入してもよく、
（２ｂ）
　図１〜３は、以下のとおりである。
３　引用文献３について
　上記引用文献３には、図面とともに、次の事項が記載されている。
（３ａ）
「【０００９】
　バスタブ２は、図１〜図４に示すように通常のバスタブを中央部で斜めに切った状態の形状をしている。
バスタブ２は、斜めの部分の４本のパイプ５、６、７、８と浴槽部９で構成されている。パイプの材質はアルミ等の金属又は合成樹脂である。浴槽部９を構成するシートの材質は合成樹脂又はゴムである。バスタブ２のパイプ６とパイプ８に椅子４を取り付けている。その取り付け部にバスタブ２を支持する支持棒１０、１１を設けている。椅子４の材質は合成樹脂である。支持棒１０、１１の材質はアルミ等の金属又は合成樹脂である。
（３ｂ）
　図４は、以下のとおりである。
４　引用文献４について
　上記引用文献４には、図面とともに、次の事項が記載されている。
（４ａ）
「【００１６】
図１を参照してこの発明に係る組立て風呂実施例を説明する。
組立風呂（２００）は少なくとも脚上部（１１）と脚下部（１２）を含む同軸上に伸縮可能な４本の脚を有している。
２本の棒（４１）、（４２）で回転自在なＸ字状に組まれ、そのそれぞれの下部先端（４１１）（４２１）が前記脚下部に回転できるように固定され、それぞれの上部先端（４１２）、（４２２）が前記可動支持材に回転できるように固定されることによって異なる２本の前記脚に跨って連結された少なくとも３組の連結機構（４）を有し、組立て風呂用フレーム（１００）を構成している。
【００１７】
組立て風呂用フレーム（１００）は、アルミ、ステンレス、硬質プラスチック、チタン等のサビない材質とし、安全性の面で、丸パイプ型状をここでは用いているが、角パイプでも良い。
【００１８】
また、
前記連結機構（４）と連結部材（８）には、２本の棒で回転自在なＸ字状に組まれる接合部分に補強パイプまたは、充填材により水圧に耐える補強がなされている。
・・・
【００２４】
また、
シート浴槽（５）は底面を持った袋状になった防水性のシートで構成され上方開口部の対向する２辺の（５１）、（５２）に２本の脚の先端に結合される固定バー（６）
【００２５】
また
シート浴槽（５）と組立風呂用フレーム（１００）を接続する固定バー（６）
（４ｂ）
　図１は、以下のとおりである。
第５　対比・判断
１　本願発明の「カバー又は袋の形状構成の簡易風呂」について
（１）
　本願の明細書には、
「【００１３】
　
カバー又は袋を使用して液体を溜める事が出来る形状の立体構造と為して、それに、
お湯等々の
液体を溜める事が出来る構成である
立体構造カバー、袋と為す形状の該カバー、袋にて手足身体を洗う、入浴する事が出来る特徴のカバー又は袋の簡易風呂
と記載されている。
（２）
　上記（１）を参照すると、本願発明の「簡易風呂」は、「カバー又は袋を使用して液体を溜める事が出来る形状の立体構造と為し」、「それに」、「お湯等々の」「液体を溜める事が出来る構成であ」り、「立体構造カバー、袋と為す形状の該カバー、袋にて手足身体を洗う、入浴する事が出来る」「カバー又は袋の簡易風呂」であるといえることから、本願発明の「簡易風呂」の「カバー又は袋の形状構成」は、「簡易風呂」が、「カバー又は袋」を「液体を溜める事が出来る形状の立体構造」としているものといえる。
　このことから、本願発明の「カバー又は袋の形状構成の簡易風呂」は、「カバー又は袋を液体を溜める事が出来る形状の立体構造としている簡易風呂」を意味するものと理解できる。
２　対比
　本願発明と引用発明とを対比する。
（１）
　引用発明の「浴槽部１０」は、「上部が開口させられ且つ前記椅子部１２の座部と床面とに載置し得る段付き形状の袋状体と、該袋状体の上部開口部の周縁に前記アーム１８を取り付けて支持する支持部と、該袋状体を上部開口部から床面側まで開閉し得る水密なファスナー３６とを備え」るものであり、「上部が開口させられ」た「袋状体」が、水密なファスナー３６を閉じた状態でお湯を満たすようになるといえることから（摘記（１ｃ）の段落【００１９】）、引用発明の「浴槽部１０」は、本願発明の「カバー又は袋」に相当する。
（２）
　引用発明の「折り畳み式簡易浴槽」は、本願発明の「簡易風呂」に相当する。
（３）
ア
　引用発明の「折り畳み式簡易浴槽」は、「椅子部１２」が、「座部」を「備え」、「該椅子部１２に浴槽部１０の上部を支持するためのアーム１８が」「取り付けられ」、「浴槽部１０」が、「上部が開口させられ且つ前記椅子部１２の座部と床面とに載置し得る段付き形状の袋状体」と、「該袋状体の上部開口部の周縁に前記アーム１８を取り付けて支持する支持部」とを「備え」る構成を有しているといえる。
イ
　上記アの構成の「アーム１８」と「アーム１８を取り付けて支持する支持部」とに関しては、具体的に、「浴槽部１０の上部開口部の周縁に設けられた１対の筒状部１４には、椅子部１２の背もたれ部１６に取り付けられた１対のアーム１８がそれぞれ挿入され、浴槽部１０を椅子部１２に固定するとともに自立させるように構成されている。」（摘記（１ｂ）の段落【００１３】）ものといえることから、引用発明の「アーム１８」の技術的意義は、「浴槽部１０」を自立させる、すなわち、「浴槽部１０」の形状を保つことにあるといえる。
ウ
　引用発明の上記アの構成の「折り畳み式簡易浴槽」は、「座部」と「座部と床面とに載置し得る段付き形状の袋状体」、及び、「アーム１８」と「アーム１８を取り付けて支持する支持部」（上記イ）を備えるから、「浴槽部１０」を立体構造として保つ、すなわち、「浴槽部１０」を、浴槽として機能するように、液体を溜める事が出来る形状の立体構造として保つものといえる。
エ
　上記ア〜ウ、上記（１）、（２）及び上記１（２）を踏まえると、引用発明の上記アの構成を有する「折り畳み式簡易浴槽」は、本願発明の「カバー又は袋の形状構成の簡易風呂」に相当するものといえる。
　以上より、本願発明と引用発明との一致点及び一応の相違点は、次のとおりである。
＜一致点＞
「カバー又は袋の形状構成の簡易風呂。」
＜相違点＞
　本願発明では、簡易風呂が、「該カバー又は袋は、手足、身体を洗う、又は入浴する際に安定、安全、洗いやすい、或いは入りやすい機能、形状、構造、作用を構成する為、該カバー又は袋を固定する又は固定化する該機能、形状、構造或いは作用を所有する事が出来る」ものであるのに対して、引用発明では、折り畳み式簡易浴槽（簡易風呂）が、「背もたれ部と座部と脚部を備えた椅子部１２と、柔軟で且つ水密な材料からなり折り畳み自在の浴槽部１０とが着脱自在に構成され、該椅子部１２に浴槽部１０の上部を支持するためのアーム１８が回動可能に取り付けられ、前記浴槽部１０は上部が開口させられ且つ前記椅子部１２の座部と床面とに載置し得る段付き形状の袋状体と、該袋状体の上部開口部の周縁に前記アーム１８を取り付けて支持する支持部と、該袋状体を上部開口部から床面側まで開閉し得る水密なファスナー３６とを備える」ものである点。
３　判断 
（１）
　上記相違点に係る本願発明の構成は、「該カバー又は袋は、手足、身体を洗う、又は入浴する際に安定、安全、洗いやすい、或いは入りやすい機能、形状、構造、作用を構成する為、該カバー又は袋を固定する又は固定化する該機能、形状、構造或いは作用を所有する事が出来る」というものであるから、その構成は、「該カバー又は袋は、手足、身体を洗う、又は入浴する際に安定、安全、洗いやすい、或いは入りやすい機能、形状、構造、作用を構成する為」（以下、「構成Ａ」という。）、「該カバー又は袋を固定する又は固定化する該機能、形状、構造或いは作用を所有する事が出来る」という構成（以下、「構成Ｂ」という。）を採用したものと理解することができる。要するに、上記相違点に係る本願発明の構成は、実質的に、上記「簡易風呂」に係る構成を、上記構成Ａ及びＢのとおり機能的に特定しているものといえる。
　このことを踏まえ、上記相違点について、以下、検討する。
ア
　引用発明の「アーム１８」に関して、引用文献１には、「浴槽部１０の上部開口部の周縁に設けられた１対の筒状部１４には、椅子部１２の背もたれ部１６に取り付けられた１対のアーム１８がそれぞれ挿入され、浴槽部１０を椅子部１２に固定するとともに自立させるように構成されている。」（摘記（１ｂ）の段落【００１３】）と記載されていることから、浴槽部１０は、アーム１８によって椅子部１２に固定されることにより、安定するといえる。
　したがって、引用発明の「アーム１８」の構造は、入浴する際に安定させる機能、形状、構造、作用を構成するように（上記構成Ａ）、「浴槽部１０」を固定しているといえる（上記構成Ｂ）。
イ
　引用発明の「アーム１８」に関して、引用文献１には、「浴槽部１０に設けた筒状部１４にアーム１８を挿入することにより、浴槽部１０を椅子部１２に固定し、上述した入浴手順によって身障者の入浴を試みたところ、簡便かつ安全に実行できるのを確認することができた。」（摘記（１ｉ）の段落【００４５】）と記載されている。
　したがって、引用発明の「アーム１８」の構造は、入浴する際に安全にする機能、形状、構造、作用を構成するように（上記構成Ａ）、「浴槽部１０」を固定しているといえる（上記構成Ｂ）。
ウ
　引用文献１には、「浴槽部１０内で身体を動かしつつ洗浄し、介添え人が手伝う場合は、浴槽部１０の上部開口部から手を差し入れて、洗うことになる。」（摘記（１ｇ）の段落【００２９】）と記載されており、介添え人は、「アーム１８」で支持された「浴槽部１０の上部開口部」（上記アを参照）から手を差し入れて、入浴者を洗うことができるのであるから、洗いやすく構成されていることが明らかである。
　したがって、引用発明の「アーム１８」の構造は、入浴する際に洗いやすい機能、形状、構造、作用を構成するように（上記構成Ａ）、「浴槽部１０」を固定しているといえる（上記構成Ｂ）。
エ
　引用発明は、「アーム１８が回動可能に取り付けられ」、「該袋状体を上部開口部から床面側まで開閉し得る水密なファスナー３６」を「備える」ものであるところ、引用発明の「アーム１８」に関して、引用文献１には、「浴槽部１０の前面に設けられた水密ファスナー３６を開き、アーム１８の取り付け部を緩めて、アーム１８を下方に回動させ、同時にその先端が開くように回転させることによって、浴槽部１０の前部を足元までが広く拡げることができる。その結果、車椅子等からの移動を楽に行うことができるようになる。」（摘記（１ｅ）の段落【００２２】）と記載されている。
　このことと、上記アを踏まえると、引用発明の「アーム１８」の構造は、入浴する際に入りやすい機能、形状、構造、作用を構成するように（上記構成Ａ）、「浴槽部１０」を固定しているといえる（上記構成Ｂ）。
オ
　上記ア〜エを踏まえると、引用発明の「折り畳み式簡易浴槽」の「アーム１８」の構造は、引用発明の他の構成部品と関連することによって、入浴する際に安定、安全、洗いやすい、或いは入りやすい機能、形状、構造、作用を構成するように（上記構成Ａ）、「浴槽部１０」を固定しているといえる（上記構成Ｂ）。
カ
　上記ア〜オ及び上記２（１）、（２）を踏まえると、引用発明の「折り畳み式簡易浴槽」が、「背もたれ部と座部と脚部を備えた椅子部１２と、柔軟で且つ水密な材料からなり折り畳み自在の浴槽部１０とが着脱自在に構成され、該椅子部１２に浴槽部１０の上部を支持するためのアーム１８が回動可能に取り付けられ、前記浴槽部１０は上部が開口させられ且つ前記椅子部１２の座部と床面とに載置し得る段付き形状の袋状体と、該袋状体の上部開口部の周縁に前記アーム１８を取り付けて支持する支持部と、該袋状体を上部開口部から床面側まで開閉し得る水密なファスナー３６とを備える」ことは、本願発明の「簡易風呂」が、「該カバー又は袋は、手足、身体を洗う、又は入浴する際に安定、安全、洗いやすい、或いは入りやすい機能、形状、構造、作用を構成する為、該カバー又は袋を固定する又は固定化する該機能、形状、構造或いは作用を所有する事が出来る」ことに相当するといえる。
キ
　したがって、上記相違点は、実質的に相違点とはいえないから、相違点は存在せず、本願発明は、引用発明である。
（２）
　上記（１）のとおり、上記相違点に係る本願発明の構成は、「簡易風呂」に係る構成を、上記構成Ａ及びＢのとおり機能的に特定しているものであるが、本願の明細書の段落【００１４】及び【００２２】には、「カバー又は袋」に骨組みを持たせて簡易風呂を構成することも記載されているので、仮に、上記相違点に係る本願発明の構成が、実質的に、「カバー又は袋」に骨組みを持たせることを前提とした構成を特定しているものとした場合についても、念のため、以下、検討する。
ア
　本願の明細書には、
「【００１４】
　
カバー又は袋と、該カバー又は袋に関与する骨組みと、から為る簡易風呂
カバー又は袋に形状構成を為し該液体を溜める事が出来る立体構造と為す事が出来るカバー又は袋に骨組みを持たせて、該カバー、袋にしっかりした安定性のある、安全性のある、又は固定性を持たせる形状にする
該カバー、袋に該骨組み設定形状を保たせることによって、該形状が崩れない、形状を保っている特徴を為す事が出来るので、該カバー、袋、は、手足身体を洗う、入浴する機能を安全、且つ安定にてする事が出来る
入りやすい事の機能を高める事が出来る
・・・
【００２２】
　図２は、本発明の実施例２であって、請求項２の、
カバーの形状が液体を溜める事が出来て手足身体を洗う、入浴する事が出るカバーに骨組みを持たせる
カバーの形状が立体構造を所持して、水、お湯等々の種々雑多な液体を溜める事が出来る構成である、更に該立体構造カバーと為して、該カバーにて手足身体を洗う、入浴する事が出来る特徴のカバー風呂の製品の、カバーに骨組みをもたせて、カバーに安定性、安全性、又は固定性を持たせて、カバーの形状を保たせる（形状が崩れない、形状を保っている）特徴を為す、故に手足身体を洗う、入浴する機能を安全、安定、入浴入りやすい事の機能を高める
と記載されている。
　また、本願の明細書の段落【符号の説明】【００３８】には、「１　カバー」及び「２　骨組み」と記載され、図２及び図３の記載には、それらの符号１及び２が示されている。
イ
　そして、「骨」は、「家屋・器具などの芯となって全体を支える材料。[株式会社岩波書店 広辞苑第六版]」を意味することも踏まえると、本願の明細書における上記アの「骨組み」の技術的意義は、カバー又は袋の形状を保つことで、本願発明の上記相違点に係る構成すなわち上記構成Ａ及びＢとすることにあるといえる。
ウ
　上記（１）で述べたとおりであるから（特に上記（１）アの「アーム１８」が袋状体を備える「浴槽部１０」を「自立させる」旨及び上記２（３）イを参照）、引用発明の「アーム１８」の技術的意義は、「浴槽部１０」（カバー又は袋）の形状を保つことで、本願発明の上記相違点に係る構成すなわち上記構成Ａ及びＢとすることにあるといえる。
エ
　上記イ及びウを踏まえると、引用発明の「アーム１８」は、本願発明の「骨組み」に相当するといえることから、上記相違点に係る本願発明の構成が、実質的に、「カバー又は袋」に骨組みを持たせることを前提とした構成を特定しているものとした場合であっても、上記相違点は、実質的に相違点とはいえないから、相違点は存在せず、本願発明は、引用発明である。
（３）
　さらに、上記「骨組み」が、図２の符号２に示されるように、カバー又は袋に全体的に「骨組み」を持たせるものであるとしても、例えば、引用文献２（摘記（２ａ）、（２ｂ）及び図５〜６等）、引用文献３（摘記（３ａ）及び（３ｂ）等）、引用文献４（摘記（４ａ）、（４ｂ）及び図２〜３等）に示すように、カバー又は袋に、全体的に、芯、リブ、パイプ、バー等の骨組みを構成し得る形状維持部材を用いることで、カバー又は袋を液体を溜める立体構造として保つ簡易風呂を構成することは周知技術であり、この周知技術を踏まえることで、引用発明において、「アーム１８」のような骨組みを、全体的に設けるようにして、上記相違点１に係る本願発明の構成を想到することは、当業者にとって格別に困難なことではない。
４　まとめ
　以上から、本願発明は、引用文献１に記載された発明（引用発明）であるし、または、引用文献１に記載された発明（引用発明）及び周知技術に基いて当業者が容易に発明をすることができたものである。
第６　むすび
　以上のとおり、本願発明は、特許法第２９条第１項第３号に該当し、または、特許法第２９条第２項の規定により、特許を受けることができないから、他の請求項に係る発明について検討するまでもなく、本願は拒絶されるべきものである。
　よって、結論のとおり審決する。